(57)【特許請求の範囲】
【請求項１】
車両の車輪１４に軸支点１３を介して配設されるピストン２５をショックアブソーバー１２に内蔵させ、該ショックアブソーバー１２に連設して電気式あるいは油圧式のアクチュエーター制振装置１５を車体２０に固定し、ショックアブソーバー１２に併設してショックアブソーバー１２内の流体移動に伴う直線運動量を検出する液圧計１０を置き、さらにショックアブソーバー１２からの交流分のみに限定した変位信号２９は、ショックアブソーバー１２において流体２８が路面から受ける振動を圧力変化として受け取り、その結果が液圧計１０に及び、感知した電気信号をもって変位信号となし、バンドパスフィルター１８及び対数圧縮回路１７を経由してサーボアンプ１６に入力し、増幅拡大後、衝撃振動数のみを制御信号２１とし、アクチュエーター制振装置１５へ伝達する一方、アクチュエーター制振装置１５内へ装着される雄ネジ５は、同装置内の雌ネジ２６と嵌合し、雌ネジ２６はモーターの回転子７と組み合わせ固定され、雄ネジ２６は構造上回動せず、雌ネジ部分が回動し、直線運動のみを実行させ、よって走行時に車輪１４から受けた上下振動は雄ネジ５の上下運動に連動するが、車体に固定した雌ネジ２６がモーターの回転子７の正転または逆転回動を伴なう事で液圧形信号を限りなくゼロに補正する制御動作として働き直接車体の揺動を防止でき、さらに、中央位置監視制御のためのアクチュエーター制振装置１５への移動量をみるセンサーとしての変位計６を置き、別にダイナミックレンジを最大に置くための直流分制御信号２２を作り、対象とする周波数範囲は概ね３ないし２０ヘルツとした高域振動が伝達されるショックアブソーバー１２の運動方向に、電気式あるいは油圧式のアクチュエーター制振装置１５を直列に取り付け、低域に相当する３ないし２０ヘルツの振動を制限して静かに走行させるための車両用制振走行システム。
【発明の詳細な説明】
【０００１】
【発明の属する技術分野】
本発明は、舖装が不十分な道路や、多くの段差、マンホール舗装など、乗り心地に障害となっている道路を通行する小型車両のうち、人を運搬する自動車の制振、衝撃吸収を目的としたものである。
【０００２】
また、自動車の走行によって騒音として感じる可聴周波数では、スチレンブタジエンゴムやイソブチレンプレンゴムなどの防振ゴムや、弾性ゴム車輪の弾力、車体を含む防音機器などにより車体には殆ど伝わらないが、弾性ゴム車輪が吸収できない音域より下の周波数領域の衝撃振動を除去するために、この発明の機能を利用するものである。
【０００３】
【従来の技術】
自動車における振動発生源としては、エンジン、路面、回転部アンバランス、歯車のかみ合いなどが知られ、発生源で発生した振動が駆動系、懸架系などの伝達経路を経て車体へと伝えられている。
【０００４】
エンジン系の振動の原因としては、エンジンの起振力、クランク軸のねじり振動、エンジン懸架系の振動、動弁系の振動などがあり、ねじりダンパの設計、エンジンマウントの設計、ゴム材料の設計などで対応しているほか、周波数で分類すると、２００〜５００ヘルツは振動伝達系、５００ヘルツ以上は吸遮音材で対応している。
【０００５】
また、車両の運行に際して、乗り心地に障害となっている舗装していない道路や、多くの段差、マンホール舗装の不十分な箇所が多く存在しており、悪路走行に伴う振動の原因としては、路面の凹凸による変位強制をタイヤが受け、これによってサスペンション系の振動が発生し、車体に伝達され、低周波数領域（２０〜５０ヘルツ）のこもり音が発生している。特に３〜２０ヘルツの領域は身体障害のある人や、高齢者には気になることが多く、そのため後部トランクルームに鉛板を敷いて重量を増し、高域周波数成分が車体部分へ伝達することに対し、抵抗させて防止する工夫をしている例があった。
【０００６】
従来、一般車両に利用されている懸架装置は、バネ材料と流体式緩衝器（ショックアブソーバー）の二つの機能の組み合わせから成っている。車輪からの振動入力に対してはバネが受けるが、速い急峻な振動衝撃がある場合にバネの伸縮がバネ全体に伝わる前に応力集中部分が発生し折損することがあり、緩衝器としては衝撃的成分、高周波数領域、大振幅変位入力に対して、バネ材の折損事故を防止する目的でショックアブソーバーを対応させている。実際、ショックアブソーバーは、路面から受ける衝撃的領域（高い周波数成分）において、剛性力が増大する特性がある。
【０００７】
ショックアブソーバーは、車両の高性能化にともなって、アクティブ制御の構成要素としての高機能化、あるいは従来のダンパ機能をさらに高めるためにバルブ機構の複雑化、高精度化が追及され、周波数感応型、ストローク感応型が登場しているばかりか、ショックアブソーバー減衰力制御も登場し、フロント、リヤの各サスペンションに取り付けられた４本のショックアブソーバーの減衰力を、車両の走行状態に応じて、自動的に切替え、乗り心地と操縦安定性の両立を図っている。
【０００８】
【発明が解決しようとする課題】
車両の衝撃振動を改善して乗り心地を良くするために、従来では空気バネを用いて改善を試みていたが、複雑な機能を必要とするために大型車両などに用いるなど用途が限られていた。しかし、同時にショックアブソーバーを併用する懸架装置である限り、低周波数領域（３〜２０ヘルツ）の影響除去からは避けて通れないものである。
【０００９】
車両は、一般に小型の車両ほど振動除去が困難であるが、普通はゴムタイヤを使って運行しており、使っているタイヤの空気圧力の量によって燃料の消費効率が大きく異なり、圧力が高くなるに従って、ある一定値まで燃費は向上するが、その反面、ゴムの張力が増大し、弾性が大きくなるので、乗り心地が悪くなってしまうことから小型の車両の振動除去が重要な課題になっている。
【００１０】
【課題を解決するための手段】
本発明は、上記の目的を解決するために提案したもので、振動除去が困難な小型車両を中心に、逆に低価格で、振動を軽減する装置として組み込み対応できる車両用制振走行システムである。
【００１１】
〔請求項１〕  図面に従って詳細に説明すると、図２は、車両用制振走行システムの概略図であって、車両の車輪１４に軸支点１３を介して配設されるピストン２５をショックアブソーバー１２に内蔵させ、該ショックアブソーバー１２に連設して電気式あるいは油圧式のアクチュエーター制振装置１５を車体２０に固定し、ショックアブソーバー１２に併設してショックアブソーバー１２内の流体移動に伴う直線運動量を検出する液圧計１０を置き、さらにショックアブソーバー１２からの交流分のみに限定した変位信号２９は、ショックアブソーバー１２において流体２８が路面から受ける振動を圧力変化として受け取り、その結果が液圧計１０に及び、感知した電気信号をもって変位信号となし、バンドパスフィルター１８及び対数圧縮回路１７を経由してサーボアンプ１６に入力し、増幅拡大後、衝撃振動数のみを制御信号２１とし、アクチュエーター制振装置１５へ伝達する一方、アクチュエーター制振装置１５内へ装着される雄ネジ５は、同装置内の雌ネジ２６と嵌合し、雌ネジ２６はモーターの回転子７と組み合わせ固定され、雄ネジ２６は構造上回動せず、雌ネジ部分が回動し、直線運動のみを実行させ、よって走行時に車輪１４から受けた上下振動は雄ネジ５の上下運動に連動するが、車体に固定した雌ネジ２６がモーターの回転子７の正転または逆転回動をともなうことで液圧計信号を限りなくゼロに補正する制御動作として働き直接車体の揺動を防止でき、さらに、中央位置監視制御のためのアクチュエーター制振装置１５への移動量をみるセンサーとしての変位計６を置き、別にダイナミックレンジを最大に置くための直流分制御信号２２を作り、対象とする周波数範囲は概ね３ないし２０ヘルツとした高域振動が伝達されるショックアブソーバー１２の運動方向に、電気式あるいは油圧式のアクチュエーター制振装置１５を直列に取り付け、振動伝達に制限し、低域に相当する３ないし２０ヘルツの振動を制限して静かに走行させるための小型の車両から対応できる車両用制振走行システムであり、アクチュエータ制振装置１５は、主として電気式を用いているが、コストを無視すれば油圧なども利用できるし、ショックアブソーバーと一体とすることもできる。
【００１２】
また、ショックアブソーバー１２は２つの部屋の中間にピストン２５があり、一方から流体２８を別の部屋へ閉回路でつなぎ、ピストン２５の位置が移動するとき、閉回路の通路の途中に流体絞り弁３６を設け、流体２８が通過するときの流体抵抗性を利用し、前記流体絞り弁３６を加減して乗り心地と車体保護両方の良点を定め、減衰吸収（クリチカルダンピング）状態に置き、車体重量とバネ定数との関係は一定の固有振動数があり、特定の振動入力時、振幅が発散し、走行が不安定になる時の振幅をショックアブソーバー１２の抵抗性により、速やかに減衰吸収する機能を持たせた車両用制振走行システムであって、力伝達特性的にみれば摩擦抵抗を除き微分動作をするものである。
【００１３】
さらに、車両の車軸における上下動作は、車輪１４の軸支点１３を通ショックアブソーバー１２へ伝え、バネ１１の端末は車体構造部２７に接触して荷重を支え、ショックアブソーバー１２の上部は、アクチュエーター制振装置１５の雄ネジ５に直結してラジアル方向に固定され、回転しないようにし、雄ネジ５に対応して回転する雌ネジ２６はモーターの回転子７に固定し、モーターの固定子８側は車体２０に固定され、切替器としてシフトレバー等と連動している車両用制振走行システムである。
【００１４】
車体の構造部分の機能として、アクチュエーター制振装置１５が衝撃を吸収するための電気式アクチュエーター制振装置について、つぎのように詳細な実施例として説明する。
【００１５】
ショックアブソーバー１２と車体２０の接合部分を切り離し、中間に直線運動をさせる雄ネジ５を置き、雄ネシ５に対応する雌ねじ２６はモーターの回転子７と直結し、モーターの回転子７は軸方向に固定されスラスト方向には動かないようになっていて、モーターがラジアル方向に回転すれば、雄ネジ５のピッチに従って雌ネジ２６の回転によりスラスト方向へ直線運動をする構造となっている。モーターの固定子（ステーター）８側は車体２０と接続固定している。
【００１６】
振動制御のために起振源の特性を把握し、伝達経路を調べ、振動伝達特性を明確にし、起振源に近い箇所で制振技術で対処すれば、振動が広がらず、対処箇所も狭い範囲に限定することができ、振動計測技術としては、変位、速度、加速度で行なっているが、ホログラフィ計測を利用して広範囲の振幅分布を短時間に把握し、複雑なエンジン外壁、ボデー外板の振動振幅計測に活用されている。
【００１７】
車体重量とバネ定数との関係は、理論的に一定の固有振動数があり、特定の振動入力時、振幅が発散（段々大きくなること）し、走行が不安定になる。その時の振幅をショックアブソーバー１２の抵抗性により、速やかに減衰吸収（クリチカルダンピング）する機能を持たせている。
【００１８】
車体の固有振動数とは別に、路面走行の状況により車輪を通して路面から振動が伝達し、振動周波数が増大するに従い、剛性力が優勢になり車体に伝わる。その結果、路面の凹凸に感応して車体へ衝撃振動が伝わり、舗装していない道路やマンホールの蓋の上を通過するときなどにおいては乗り心地が悪いことになっている。
【００１９】
車両が静止している場合は、ショックアブソーバー１２は反応力がないゼロの状態で、雄ネジ５、雌ネジ２６相互には力関係はゼロになっている．（実際は摩擦などにより多少の反力があるが）。即ち、荷重はすべて、圧縮バネの反発力によって支えられており、雄ねじ５の位置関係はアクチュエーター制振装置１５の移動範囲の中央に来るように制御する。これは、上下方向のダイナミックレンジ設定器９により、ダイナミックレンジ（アクチュエーター機構の移動範囲のほぼ中間）を最大とする。
【００２０】
制限要素の説明をすると、ショックアブソーバー１２の直線運動量を検出するセンサとして液圧計（変位に比例する）１０を置き、また、モーター制御用偏差信号増幅器（サーボアンプ）１６を置き、さらにアクチュエーター制振装置１５（送りネジ５の中央位置監視制御のための）移動量をみるセンサーとしての変位計６を置いている。
【００２１】
また、制御の回路について説明すると、アクチュエーター制振装置１５へ伝達する変位信号２９はショックアブソーバー１２からの信号（交流分のみ）をバンドパスフィルター１８及び対数圧縮回路１７を経由してサーボアンプ１６に入力し、増幅拡大後、衝撃振動数のみを制御信号２１としている。さらに、別にダイナミックレンジ９を最大に置くための制御信号（直流分）を作っている。
【００２２】
動作について説明すると、定常状態では雄ネジ５はダイナミックレンジ９の最大にあり、走行に先立ち，シフトギアーがパーキングＰの位置で、静止荷重値において比例微分回路１９の機能で初期に低速追従し，偏差が無くなれば停止することになり、この場合、ショックアブソーバー１２がアクチュエーター制振装置１５により位置移動をすることになっている。
【００２３】
シフトギアーが走行Ｄの位置に切り替わり、走行が開始され、特定の範囲の振動周波数補正を行い、サーボアンプ１６からアクチュエーター制振装置１５へ伝達し、衝撃振動を吸収するように自動制御をすることになっている。
【００２４】
バンドパスフィルター１８の通過周波数帯域は３ヘルツあたりから２０ヘルツの範囲に定めるが、実際の実車走行で体験して総合性能から多少修正して定めることにしている。サーボアンプの特性を補正して、車体振動防止制御をゼロ目標としない場合でも、十分に実用性を発揮することができるようになった。
【００２５】
バンドパスフィルター１８により定めた以外の周波数領域（ゆっくりした振動及び音として感じる高い周波数）においては、制御不感動になるからショックアブソーバー１２本来の機能を損なうことはない。
【００２６】
制御について詳細に説明すると、振動衝撃入力に対してアクチュエーター制振装置１５が完全追従した場合は、ショックアブソーバー１２の機能が働かない状態に等しいが、前述するように低域振動遮断周波数から高域はアクチュエーター制振装置１５が追従できる振動周波数範囲まで（結果として帯域フィルターになる）のため動作範囲が制限されており、さらにダイナミックレンジ９の範囲とする対数圧縮器１７の制限によって補正する振幅を抑え、車体に伝える制御を行なうものである。
【００２７】
性能を高めること、即ち乗り心地を良くすることは、アクチュエーター制振装置１５の追従速度と密接に関係するので、当然、ショックアブソーバー１２を含む補正動作機構部分の慣性を小さくし、モーター駆動用に大きな出力パワーを出し、追従速度を向上させる必要がある。しかも、現在十分な電子的要素である部品は容易に入手できることになっている。
【００２８】
振動衝撃の振動方向に逆らって機能するのではなく、逃げる方向（順方向）であるため、雄ネジ５の送り角度量および摩擦係数値の小さいネジを選択した場合は追従応答も向上することになり、出力パワーは、その分小さいパワーで充分である。
【００２９】
走行実験によると、この場合、発進、停止、工事箇所などでは低速度域のため帯域外で、不感動領域のためアクチュエーター制振装置１５は機能停止状態となる。対象とする振動の変位に対しては、最大±８０ｍｍあれば、良好な乗り心地を提供し、この目的の十分な機能を果たす結果が得られることになっている。
【００３１】
図１の車両用制振装置の制御システムのブロック図で説明すると、振動θの目標値Ｖはサーボアンプに入力され、さらに制御対象のアクチュエーター２に送られ、外乱としての振動入力Ｕと共に、制御量Ｘとして出力され、一方検出部としてのショックアブソーバー３に送られ、信号処理４されてネガティブフィードバックμとして帰還し、Ｖと加算を行い再度ループゲインＧｏにより伝達される。
【００３２】
制御方式として下記式の形式をとる。
【数  １】
0004072752.tif 000002
【００３３】
外乱Ｕによって生ずる閉回路の制御量Ｘは、
【数  ２】
0004072752.tif 000003
【００３４】
図３のパーキング位置におけるアクチュエーター制振装置１５の追従する図で説明すると、比例微分回路１９を通るフィードバックループ内により変位計６とアクチュエーター制振装置１５の追従動作との関係は、図３に示すように積分形追従になる。時間（ｔ）は微分回路定数Ｄに従って決定される。この場合、サーボアンプ１６の増幅率Ｐは無限に大きいものとし、偏差信号がゼロになるまで補正される。
【００３５】
図４の走行時の制御特性図で説明すると、走行Ｄ指定位置の場合の応答（３〜２０ヘルツ間）で、質量Ｍが影響する応答遅れ３４と、対数圧縮回路による振幅の制限量３５は、図４のようになる。
【００３６】
【発明の効果】
本発明によれば、普通はゴムタイヤを使って運行し、ゴムの張力が増大し、弾性が大きくなり、乗り心地が悪くなってしまう小型の車両の振動除去が重要な課題になっていたが、組み込み対応できる制振走行システムによって、振動除去が困難な小型車両を中心に低価格で、振動を軽減する装置として快適性が向上し、燃費向上が同時に図られることになった。
【００３７】
また、車両の運行に際して、乗り心地に障害となっている舗装していない道路や、多くの段差、マンホール舗装の不十分な箇所を除き、騒音として感じる高い周波数領域の振動は、防振ゴムや、弾性ゴム車輪の弾力などにより車体にはほとんど伝わらないが、ショックアブソーバーを併用する懸架装置である限り乗員がもっとも不快に感じる低周波数領域（３〜２０ヘルツ）の影響除去からは避けて通れず、路面の凹凸による変位強制をタイヤが受け、これによってサスペンション系の振動が発生し、車体に伝達され、低周波数領域（２０〜５０ヘルツ）のこもり音が発生し、特に身体障害のある人や、高齢者には気になることが多かったが、弾性ゴム車輪が吸収できない音域より下の周波数領域の衝撃振動を除去することができるようになった。
【図面の簡単な説明】
【図  １】  車両用制振装置の制御システムのブロック図。
【図  ２】  車両用制振走行システムの概略図。
【図  ３】  パーキング位置におけるアクチュエーターの追従する図。
【図  ４】  走行時の制御特性図。
【符号の説明】
１：サーボアンプ
２：アクチュエーター
３：シヨックアブソーバー
４：信号処理
５：雄  ね  じ
６：変  位  計
７：モーターの回転子
８：モーターの固定子
９：ダイナミックレンジ設定器
１０：液  圧  計
１１：ば      ね
１２：シヨックアブソーバー
１３：軸  支  点
１４：車      輪
１５：アクチュエーター制振装置
１６：サーボアンプ
１７：対数圧縮回路
１８：バンドパスフィルター
１９：比例微分回路
２０：車      体
２１：制御信号
２２：直流分制御信号
２３：交流分信号
２４：偏差信号入口
２５：ピストン
２６：雌  ね  じ
２７：車体構造部
２８：流      体
２９：変位信号
３０：ダイナミックレンジ最大点
３１：振動入力
３２：車体伝達振動（ｕ−ｘ）
３３：アクチュエーター作動量
３４：位相遅延時間差
３５：振動の補正不足量
３６：流体絞り弁
Ｄ：走    行
Ｐ：パーキング
【図１】
0004072752.tif 000004
【図２】
0004072752.tif 000005
【図３】
0004072752.tif 000006
【図４】
0004072752.tif 000007